【手続補正書】
【提出日】平成20年5月22日(2008.5.22)
【手続補正１】
【補正対象書類名】明細書
【補正対象項目名】発明の名称
【補正方法】変更
【補正の内容】
【発明の名称】携帯情報端末及びナビゲーション方法
【手続補正２】
【補正対象書類名】明細書
【補正対象項目名】特許請求の範囲
【補正方法】変更
【補正の内容】
【特許請求の範囲】
【請求項１】  現在位置の座標を取得する現在位置取得手段と、
任意の地点の座標と、該地点に関連するメモ情報とを対応付けて入力する入力手段と、
前記入力手段により入力された地点の座標と、該地点に関するメモ情報とを対応付けて記憶する記憶手段と、
前記メモ情報を表示する表示手段と、
利用者に報知するための報知手段と、
これら各手段を制御する制御手段とを備え、
前記制御手段は、前記現在位置取得手段により取得される現在位置の座標と前記記憶手段に記憶されている地点の座標とを比較し、現在位置が該地点に接近したと判定した場合には、前記記憶手段に記憶されているメモ情報を前記表示手段に表示するとともに、前記報知手段より接近を知らせる報知を行うことを特徴とする携帯情報端末。
【請求項２】  現在位置の座標を取得する現在位置取得手段と、
任意の地点の座標と、該地点に関連するメモ情報とを対応付けて入力する入力手段と、
前記入力手段により入力された地点の座標と、該地点に関するメモ情報とを対応付けて記憶する記憶手段と、
前記メモ情報を表示する表示手段と、
利用者に報知するための報知手段と、
これら各手段を制御する制御手段とを備え、
前記制御手段は、前記現在位置取得手段により取得される現在位置の座標と前記記憶手段に記憶されている地点の座標とを比較し、現在位置が該地点から離れたと判定した場合には、前記記憶手段に記憶されているメモ情報を前記表示手段に表示するとともに、前記報知手段より離れたことを知らせる報知を行うことを特徴とする携帯情報端末。
【請求項３】  現在位置の座標を取得する現在位置取得手段と、
任意の地点の座標と、該地点に関連するメモ情報とを対応付けて入力する入力手段と、
前記入力手段により入力された地点の座標と、該地点に関するメモ情報とを対応付けて記憶する記憶手段と、
前記メモ情報を表示する表示手段と、
利用者に報知するための報知手段と、
これら各手段を制御する制御手段とを備え、
前記制御手段は、前記現在位置取得手段により取得される現在位置の座標と前記記憶手段に記憶されている地点の座標とを比較し、現在位置が該地点から近づいた後、離れたと判定した場合には、前記記憶手段に記憶されているメモ情報を前記表示手段に表示するとともに、前記報知手段より離れたことを知らせる報知を行うことを特徴とする携帯情報端末。
【請求項４】  現在位置の座標を取得する現在位置取得手段と、
任意の地点の座標と、該地点に関連するメモ情報とを対応付けて入力する入力手段と、
前記入力手段により入力された地点の座標と、該地点に関するメモ情報とを対応付けて記憶する記憶手段と、
任意の通信端末装置に前記メモ情報を送信する通信手段と、
これら各手段を制御する制御手段とを備え、
前記制御手段は、前記現在位置取得手段により取得される現在位置の座標と前記記憶手段に記憶されている地点の座標とを比較し、現在位置が該地点に接近したと判定した場合には、前記記憶手段に記憶されているメモ情報を前記通信手段より前記通信端末装置に送信することを特徴とする携帯情報端末。
【請求項５】  現在位置の座標を取得する現在位置取得手段と、 
任意の地点の座標と、該地点に関連するメモ情報とを対応付けて入力する入力手段と、
前記入力手段により入力された地点の座標と、該地点に関するメモ情報とを対応付けて記憶する記憶手段と、
任意の通信端末装置に前記メモ情報を送信する通信手段と、
これら各手段を制御する制御手段とを備え、
前記制御手段は、前記現在位置取得手段により取得される現在位置の座標と前記記憶手段に記憶されている地点の座標とを比較し、現在位置が該地点から離れたと判定した場合には、前記記憶手段に記憶されているメモ情報を前記通信手段より前記通信端末装置に送信することを特徴とする携帯情報端末。
【請求項６】  現在位置の座標を取得する現在位置取得手段と、
任意の地点の座標と、該地点に関連するメモ情報とを対応付けて入力する入力手段と、
前記入力手段により入力された地点の座標と、該地点に関するメモ情報とを対応付けて記憶する記憶手段と、
任意の通信端末装置に前記メモ情報を送信する通信手段と、
これら各手段を制御する制御手段とを備え、
前記制御手段は、前記現在位置取得手段により取得される現在位置の座標と前記記憶手段に記憶されている地点の座標とを比較し、現在位置が該地点から近づいた後、離れたと判定した場合には、前記記憶手段に記憶されているメモ情報を前記通信手段より前記通信端末装置に送信することを特徴とする携帯情報端末。
【請求項７】  前記入力手段は、任意の地点の座標と、該地点に関連するメモ情報と、さらに、電話番号やメールアドレスなどの送信先を対応付けて入力し、
前記通信手段は、前記送信先に前記メモ情報を送信することを特徴とする請求項４ないし６のいずれかに記載の携帯情報端末。
【請求項８】  前記入力手段は、設備の名称を入力するものであり、前記制御手段は、前記入力手段により入力された名称と同じ名称の設備を、サーバ上の所在地データベースから検索して、該設備に接近または離れたことの判定を行うことを特徴とする請求項１ないし請求項７のいずれかに記載の携帯情報端末。
【請求項９】  現在位置の座標を取得する現在位置取得手段と、任意の地点の座標と該地点に関連するメモ情報とを対応付けて入力する入力手段と、前記入力手段により入力された地点の座標と該地点に関するメモ情報とを対応付けて記憶する記憶手段と、前記メモ情報を表示する表示手段と、利用者に報知するための報知手段と、これら各手段を制御する制御手段とを備えた携帯情報端末のナビゲーション方法であって、
前記制御手段は、
前記現在位置取得手段により取得される現在位置の座標と前記記憶手段に記憶されている地点の座標とを比較するステップと、
比較の結果、現在位置が該地点に接近したと判定した場合には、前記記憶手段に記憶されているメモ情報を前記表示手段に表示させるステップと、
比較の結果、現在位置が該地点に接近したと判定した場合には、前記報知手段により接近を知らせる報知を行わせるステップと、
を実行することを特徴とする携帯情報端末のナビゲーション方法。
【請求項１０】  現在位置の座標を取得する現在位置取得手段と、任意の地点の座標と該地点に関連するメモ情報とを対応付けて入力する入力手段と、前記入力手段により入力された地点の座標と該地点に関するメモ情報とを対応付けて記憶する記憶手段と、前記メモ情報を表示する表示手段と、利用者に報知するための報知手段と、これら各手段を制御する制御手段とを備えた携帯情報端末のナビゲーション方法であって、
前記制御手段は、
前記現在位置取得手段により取得される現在位置の座標と前記記憶手段に記憶されている地点の座標とを比較するステップと、
比較の結果、現在位置が該地点から離れたと判定した場合には、前記記憶手段に記憶されているメモ情報を前記表示手段に表示させるステップと、
比較の結果、現在位置が該地点から離れたと判定した場合には、前記報知手段により離れたことを知らせる報知を行わせるステップと、
を実行することを特徴とする携帯情報端末のナビゲーション方法。
【請求項１１】  現在位置の座標を取得する現在位置取得手段と、任意の地点の座標と該地点に関連するメモ情報とを対応付けて入力する入力手段と、前記入力手段により入力された地点の座標と該地点に関するメモ情報とを対応付けて記憶する記憶手段と、前記メモ情報を表示する表示手段と、利用者に報知するための報知手段と、これら各手段を制御する制御手段とを備えた携帯情報端末のナビゲーション方法であって、
前記制御手段は、
前記現在位置取得手段により取得される現在位置の座標と前記記憶手段に記憶されている地点の座標とを比較するステップと、
比較の結果、現在位置が該地点から近づいた後、離れたと判定した場合には、前記記憶手段に記憶されているメモ情報を前記表示手段に表示させるステップと、
比較の結果、現在位置が該地点から近づいた後、離れたと判定した場合には、前記報知手段により離れたことを知らせる報知を行わせるステップと、
を実行することを特徴とする携帯情報端末のナビゲーション方法。
【請求項１２】  現在位置の座標を取得する現在位置取得手段と、任意の地点の座標と該地点に関連するメモ情報とを対応付けて入力する入力手段と、前記入力手段により入力された地点の座標と該地点に関するメモ情報とを対応付けて記憶する記憶手段と、任意の通信端末装置に前記メモ情報を送信する通信手段と、これら各手段を制御する制御手段とを備えた携帯情報端末のナビゲーション方法であって、
前記制御手段は、
前記現在位置取得手段により取得される現在位置の座標と前記記憶手段に記憶されている地点の座標とを比較するステップと、
比較の結果、現在位置が該地点に接近したと判定した場合には、前記記憶手段に記憶されているメモ情報を前記通信手段により前記通信端末装置に送信するステップと、
を実行することを特徴とする携帯情報端末のナビゲーション方法。
【請求項１３】  現在位置の座標を取得する現在位置取得手段と、任意の地点の座標と該地点に関連するメモ情報とを対応付けて入力する入力手段と、前記入力手段により入力された地点の座標と該地点に関するメモ情報とを対応付けて記憶する記憶手段と、任意の通信端末装置に前記メモ情報を送信する通信手段と、これら各手段を制御する制御手段とを備えた携帯情報端末のナビゲーション方法であって、
前記制御手段は、
前記現在位置取得手段により取得される現在位置の座標と前記記憶手段に記憶されている地点の座標とを比較するステップと、
比較の結果、現在位置が該地点から離れたと判定した場合には、前記記憶手段に記憶されているメモ情報を前記通信手段より前記通信端末装置に送信するステップと、
を実行することを特徴とする携帯情報端末のナビゲーション方法。
【請求項１４】  現在位置の座標を取得する現在位置取得手段と、任意の地点の座標と該地点に関連するメモ情報とを対応付けて入力する入力手段と、前記入力手段により入力された地点の座標と該地点に関するメモ情報とを対応付けて記憶する記憶手段と、任意の通信端末装置に前記メモ情報を送信する通信手段と、これら各手段を制御する制御手段とを備えた携帯情報端末のナビゲーション方法であって、
前記制御手段は、
前記現在位置取得手段により取得される現在位置の座標と前記記憶手段に記憶されている地点の座標とを比較するステップと、
比較の結果、現在位置が該地点から近づいた後、離れたと判定した場合には、前記記憶手段に記憶されているメモ情報を前記通信手段より前記通信端末装置に送信するステップと、
を実行することを特徴とする携帯情報端末のナビゲーション方法。
【手続補正３】
【補正対象書類名】明細書
【補正対象項目名】０００１
【補正方法】変更
【補正の内容】
【０００１】
【発明の属する技術分野】
本発明は、個人で持ち運び、自分がしなければならない作業項目を管理するために使用する携帯情報端末に関し、特に、特定の地点や設備でしなければならない作業項目を記憶し、特定の地点や設備に近づいたり、そこから離れることを検出して利用者に報知したり、通信を行うことによって利用者以外の者に位置や状態を通知するなどの処理を行う携帯情報端末及びそのナビゲーション方法に関する。
【手続補正４】
【補正対象書類名】明細書
【補正対象項目名】００１１
【補正方法】変更
【補正の内容】
【００１１】
本発明はかかる問題点を解決すべく創案されたもので、その目的は、特定の地点において行うべき作業項目を記憶し、その地点に近づいたときに利用者に報知することにより、作業項目を利用者に思い出させることのできる携帯情報端末及びそのナビゲーション方法を提供することにある。また、他の目的は、特定の地点から離れたときに利用者に報知することにより、作業項目を利用者に思い出させることのできる携帯情報端末及びそのナビゲーション方法を提供することにある。さらに他の目的は、特定の地点に近づいたり離れたときに自動的に通信を行い、場所や設備に関連付けられたメモを送信することのできる携帯情報端末及びそのナビゲーション方法を提供することにある。さらに他の目的は、特定の場所や設備を名称で指定し、最寄りの場所や設備に近づいたり離れたときに自動的にメモを送信することのできる携帯情報端末及びそのナビゲーション方法を提供することにある。
【手続補正５】
【補正対象書類名】明細書
【補正対象項目名】００１２
【補正方法】変更
【補正の内容】
【００１２】
【課題を解決するための手段】
上記課題を解決するため、本発明の携帯情報端末は、現在位置の座標を取得する現在位置取得手段と、任意の地点の座標と、該地点に関連するメモ情報とを対応付けて入力する入力手段と、前記入力手段により入力された地点の座標と、該地点に関するメモ情報とを対応付けて記憶する記憶手段と、前記メモ情報を表示する表示手段と、利用者に報知するための報知手段と、これら各手段を制御する制御手段とを備え、前記制御手段は、前記現在位置取得手段により取得される現在位置の座標と前記記憶手段に記憶されている地点の座標とを比較し、現在位置が該地点に接近したと判定した場合には、前記記憶手段に記憶されているメモ情報を前記表示手段に表示するとともに、前記報知手段より接近を知らせる報知を行うことを特徴とする。すなわち、前記制御手段は、前記現在位置取得手段により取得される現在位置の座標と前記記憶手段に記憶されている地点の座標とを比較するステップと、比較の結果、現在位置が該地点に接近したと判定した場合には、前記記憶手段に記憶されているメモ情報を前記表示手段に表示させるステップと、比較の結果、現在位置が該地点に接近したと判定した場合には、前記報知手段により接近を知らせる報知を行わせるステップと、を実行する。
【手続補正６】
【補正対象書類名】明細書
【補正対象項目名】００１３
【補正方法】変更
【補正の内容】
【００１３】
このような特徴を有する本発明によれば、特定の設定地点の座標に関連するメモ情報（例えば、特定の設定地点において行うべき作業項目）を記憶手段に記憶しておき、制御手段は、現在位置取得手段により取得される現在位置の座標と記憶手段に記憶されている設定地点の座標とを比較し、現在位置が設定地点に接近したと判定した場合には、記憶手段に記憶されているメモ情報を表示手段に表示するとともに、報知手段より接近を知らせる報知を行う。このように、特定の地点に近づいたときに利用者に報知することにより、作業項目を利用者に思い出させることが可能となる。
【手続補正７】
【補正対象書類名】明細書
【補正対象項目名】００１４
【補正方法】変更
【補正の内容】
【００１４】
また、本発明の携帯情報端末は、現在位置の座標を取得する現在位置取得手段と、任意の地点の座標と、該地点に関連するメモ情報とを対応付けて入力する入力手段と、前記入力手段により入力された地点の座標と、該地点に関するメモ情報とを対応付けて記憶する記憶手段と、前記メモ情報を表示する表示手段と、利用者に報知するための報知手段と、
これら各手段を制御する制御手段とを備え、前記制御手段は、前記現在位置取得手段により取得される現在位置の座標と前記記憶手段に記憶されている地点の座標とを比較し、現在位置が該地点から離れたと判定した場合、または現在位置が該地点から近づいた後、離れたと判定した場合には、前記記憶手段に記憶されているメモ情報を前記表示手段に表示するとともに、前記報知手段より離れたことを知らせる報知を行うことを特徴とする。すなわち、前記制御手段は、前記現在位置取得手段により取得される現在位置の座標と前記記憶手段に記憶されている地点の座標とを比較するステップと、比較の結果、現在位置が該地点から離れたと判定した場合、または現在位置が該地点から近づいた後、離れたと判定した場合には、前記記憶手段に記憶されているメモ情報を前記表示手段に表示させるステップと、比較の結果、現在位置が該地点から離れたと判定した場合には、前記報知手段により離れたことを知らせる報知を行わせるステップと、を実行する。
【手続補正８】
【補正対象書類名】明細書
【補正対象項目名】００１５
【補正方法】変更
【補正の内容】
【００１５】
このような特徴を有する本発明によれば、特定の設定地点の座標に関連するメモ情報（例えば、特定の設定地点において行うべき作業項目）を記憶手段に記憶しておき、制御手段は、現在位置取得手段により取得される現在位置の座標と記憶手段に記憶されている設定地点の座標とを比較し、現在位置が設定地点から離れたと判定した場合、または現在位置が該地点から近づいた後、離れたと判定した場合には、記憶手段に記憶されているメモ情報を表示手段に表示するとともに、報知手段より離れたことを知らせる報知を行う。このように、特定の地点から離れたときに利用者に報知することにより、作業項目を利用者に思い出させることが可能となる。
【手続補正９】
【補正対象書類名】明細書
【補正対象項目名】００１６
【補正方法】変更
【補正の内容】
【００１６】
また、本発明の携帯情報端末は、現在位置の座標を取得する現在位置取得手段と、任意の地点の座標と、該地点に関連するメモ情報とを対応付けて入力する入力手段と、前記入力手段により入力された地点の座標と、該地点に関するメモ情報とを対応付けて記憶する記憶手段と、任意の通信端末装置に前記メモ情報を送信する通信手段と、これら各手段を制御する制御手段とを備え、前記制御手段は、前記現在位置取得手段により取得される現在位置の座標と前記記憶手段に記憶されている地点の座標とを比較し、現在位置が該地点に接近したと判定した場合には、前記記憶手段に記憶されているメモ情報を前記通信手段より前記通信端末装置に送信することを特徴とする。すなわち、前記制御手段は、前記現在位置取得手段により取得される現在位置の座標と前記記憶手段に記憶されている地点の座標とを比較するステップと、比較の結果、現在位置が該地点に接近したと判定した場合には、前記記憶手段に記憶されているメモ情報を前記通信手段により前記通信端末装置に送信するステップと、を実行する。
【手続補正１０】
【補正対象書類名】明細書
【補正対象項目名】００１７
【補正方法】変更
【補正の内容】
【００１７】
このような特徴を有する本発明によれば、特定の設定地点の座標に関連するメモ情報を記憶手段に記憶しておき、制御手段は、現在位置取得手段により取得される現在位置の座標と記憶手段に記憶されている設定地点の座標とを比較し、現在位置が設定地点に接近したと判定した場合には、記憶手段に記憶されているメモ情報を通信手段より通信端末装置に送信する。これにより、特定の地点に近づいたときに、利用者の操作を要せずして、自動的にメモ情報を特定の通信端末装置に送信することが可能となる。
【手続補正１１】
【補正対象書類名】明細書
【補正対象項目名】００１８
【補正方法】変更
【補正の内容】
【００１８】
また、本発明の携帯情報端末は、現在位置の座標を取得する現在位置取得手段と、 
任意の地点の座標と、該地点に関連するメモ情報とを対応付けて入力する入力手段と、
前記入力手段により入力された地点の座標と、該地点に関するメモ情報とを対応付けて記憶する記憶手段と、任意の通信端末装置に前記メモ情報を送信する通信手段と、これら各手段を制御する制御手段とを備え、前記制御手段は、前記現在位置取得手段により取得される現在位置の座標と前記記憶手段に記憶されている地点の座標とを比較し、現在位置が該地点から離れたと判定した場合、または現在位置が該地点から近づいた後、離れたと判定した場合には、前記記憶手段に記憶されているメモ情報を前記通信手段より前記通信端末装置に送信することを特徴とする。すなわち、前記制御手段は、前記現在位置取得手段により取得される現在位置の座標と前記記憶手段に記憶されている地点の座標とを比較するステップと、比較の結果、現在位置が該地点から離れたと判定した場合、または現在位置が該地点から近づいた後、離れたと判定した場合には、前記記憶手段に記憶されているメモ情報を前記通信手段より前記通信端末装置に送信するステップと、を実行する。
【手続補正１２】
【補正対象書類名】明細書
【補正対象項目名】００１９
【補正方法】変更
【補正の内容】
【００１９】
このような特徴を有する本発明によれば、特定の設定地点の座標に関連するメモ情報を記憶手段に記憶しておき、制御手段は、現在位置取得手段により取得される現在位置の座標と記憶手段に記憶されている設定地点の座標とを比較し、現在位置が設定地点から離れたと判定した場合、または現在位置が該地点から近づいた後、離れたと判定した場合には、記憶手段に記憶されているメモ情報を通信手段より通信端末装置に送信する。これにより、特定の地点から離れたときに、利用者の操作を要せずして、自動的にメモ情報を特定の通信端末装置に送信することが可能となる。
【手続補正１３】
【補正対象書類名】明細書
【補正対象項目名】００２０
【補正方法】変更
【補正の内容】
【００２０】
また、本発明の携帯情報端末によれば、前記入力手段は、任意の地点の座標と、該地点に関連するメモ情報と、さらに、電話番号やメールアドレスなどの送信先を対応付けて入力し、前記通信手段は、前記送信先に前記メモ情報を送信することを特徴とする。また、前記入力手段は、設備の名称を入力するものであり、前記制御手段は、前記入力手段により入力された名称と同じ名称の設備を、サーバ上の所在地データベースから検索して、該設備に接近または離れたことの判定を行うことを特徴とする。
【手続補正１４】
【補正対象書類名】明細書
【補正対象項目名】００６６
【補正方法】変更
【補正の内容】
【００６６】
【発明の効果】
本発明によれば、特定の設定地点に関連するメモ情報を記憶手段に記憶しておき、制御手段は、現在位置取得手段により取得される現在位置と記憶手段に記憶されている設定地点とを比較し、現在位置が設定地点に接近したと判定した場合には、記憶手段に記憶されているメモ情報を表示手段に表示するとともに、報知手段より接近を知らせる報知を行うように構成している。このように、特定の地点に近づいたときに利用者に報知することにより、作業項目を利用者に確実に思い出させることができる。
【手続補正１５】
【補正対象書類名】明細書
【補正対象項目名】００６７
【補正方法】変更
【補正の内容】
【００６７】
また、本発明によれば、特定の設定地点に関連するメモ情報を記憶手段に記憶しておき、制御手段は、現在位置取得手段により取得される現在位置と記憶手段に記憶されている設定地点とを比較し、現在位置が設定地点から離れたと判定した場合には、記憶手段に記憶されているメモ情報を表示手段に表示するとともに、報知手段より離れたことを知らせる報知を行うように構成している。このように、特定の地点から離れたときに利用者に報知することにより、作業項目を利用者に確実に思い出させることができる。
【手続補正１６】
【補正対象書類名】明細書
【補正対象項目名】００６８
【補正方法】変更
【補正の内容】
【００６８】
また、本発明によれば、特定の設定地点に関連するメモ情報を記憶手段に記憶しておき、制御手段は、現在位置取得手段により取得される現在位置と記憶手段に記憶されている設定地点とを比較し、現在位置が設定地点に接近したと判定した場合には、記憶手段に記憶されているメモ情報を通信手段より通信端末装置に送信するように構成している。これにより、特定の地点に近づいたときに、利用者の操作を要せずして、自動的にメモ情報を特定の通信端末装置に送信することができる。
【手続補正１７】
【補正対象書類名】明細書
【補正対象項目名】００６９
【補正方法】変更
【補正の内容】
【００６９】
また、本発明によれば、特定の設定地点に関連するメモ情報を記憶手段に記憶しておき、制御手段は、現在位置取得手段により取得される現在位置と記憶手段に記憶されている設定地点とを比較し、現在位置が設定地点から離れたと判定した場合には、記憶手段に記憶されているメモ情報を通信手段より通信端末装置に送信するように構成している。これにより、特定の地点から離れたときに、利用者の操作を要せずして、自動的にメモ情報を特定の通信端末装置に送信することができる。
【手続補正１８】
【補正対象書類名】明細書
【補正対象項目名】００７０
【補正方法】変更
【補正の内容】
【００７０】
また、本発明によれば、制御手段は、現在位置が設定地点に接近または離れたと判定した場合に、その報知とメモ情報の表示、またはメモ情報の送信を行うようにしたので、地点を特定できなくても、名称を指定してやることで、その場所あるいは最寄りの設備に接近または離れた場合に、作業項目を表示したり、メモ情報を送信することができる。